(57)【特許請求の範囲】
【請求項１】
一端が閉止され、他端に筒孔を備えた筒状のインサート部と、前記筒孔の周囲に着脱可能に設置され、鋼製型枠側に突起のない取付部と、該筒孔の周囲にて該取付部に設置された磁石とを備え、該取付部の磁石にて前記鋼製型枠に着脱可能に取り付けられることを特徴とする鉄筋保持インサート。
【請求項２】
インサート部の筒孔は雌ねじ溝を設けたもので、インサート部と取付部との着脱可能な設置は、前記取付部側から前記インサート部の雌ねじ溝にネジ係合し、かつ、前記取付部と溶接されていない取付ボルト体で達成されることを特徴とする請求項１記載の鉄筋保持インサート。
【請求項３】
インサート部は閉止された一端側へ徐々に細くなるように傾斜が設けられていることを特徴とする請求項１または２記載の鉄筋保持インサート。
【請求項４】
インサート部の取付部とは反対側に雌ねじ溝の先端筒孔を設け、この先端筒孔にネジ係合する先端ボルト体を備えたことを特徴とする請求項１または２記載の鉄筋保持インサート。
【発明の詳細な説明】
【技術分野】
【０００１】
本発明は、本基礎に対して、エアコンの室外機や集中ボイラーの土台などの追加のコンクリート部分を追加する場合に、予め本基礎に埋め込まれ、前記追加のコンクリート部分のための鉄筋を連結できるようにする鉄筋保持インサートに関する。
【背景技術】
【０００２】
上述の役割りをする鉄筋保持インサートとしては、特許文献１、２のものが提案されている。図６は、本発明の背景技術を示すもので、（ａ）、（ｂ）は、特許文献１に記載のものの図、（ｃ）は、特許文献２に記載のものの図である。
【０００３】
図６（ａ）、（ｂ）の鉄筋保持インサート２０は、筒状のインサート部１１と、その一端に固定された取付部１２と、この取付部１２の中に収容された磁石１３と、インサート部１１の取付部１２とは反対側にネジ入れられる六角ボルト１５とを備えている。
【０００４】
この鉄筋保持インサート２０は、図５（ａ）に示すように鋼製型枠Ｆの所望の位置に磁石１３の磁力で固定され、インサート部１１の先端側は六角ボルト１５で封止されて、打設の際にコンクリートがインサート部１１内部に侵入しないようになっている。
【０００５】
図６（ｂ）はコンクリート打設と固化が済んで、コンクリート内にインサート部１１と取付部１２が埋没されて、型枠を外した状態を示しており、この状態でインサート部の開口側から適宜鉄筋Ｂ、あるいは、外周にインサート部１１の内周に形成された雌ねじに対応した雄ねじを形成したボルト体Ｂを入れることで、この鉄筋（ボルト体）Ｂに更に必要な鉄筋をつなぎ合わせて、追加のコンクリート部分を形成することができる。
【０００６】
しかし、この鉄筋保持インサート２０によれば、磁石１３と取付部１２とがコンクリートの中に埋没してしまい、再利用できず、その点の改良が必要だと思われた。なお、特許文献１の段落［０００６］には、「磁石１３は、取付部１２に対して、着脱可能としてもよい。」とあり、磁石の再利用ができるようだが、その場合、磁石１３が取付部１２側に残るか、鋼製型枠Ｆに付いていくかが、解らないという問題と、それに対応した取り外しが必要であるという問題があった。
【０００７】
図６（ｃ）の鉄筋保持インサート３０は、一方端が封止されたインサート部２１と、このインサート部２１の鋼製型枠Ｆ側に設けられた取付部２２と、この取付部２２内に収容された磁石２３と、インサート部２１の開口側にネジ係合し、磁石２３の中央を貫通し、型枠Ｆ側に凸出した角頭部２４ａを備えた取付ネジ２４とを備えている。
【０００８】
このような構成で、この鉄筋保持インサート３０によれば、鋼製型枠Ｆの任意の位置に鉄筋保持インサート３０を位置させ、コンクリート打設後は磁石２３と取付ネジ２４とは取り外され、インサート部２１と取付部２２とがコンクリート内に埋没し、このインサート部２１にフックボルトなどを取付ることができる。
【０００９】
しかし、このような構成は、特許文献２の利用分野であるコンクリート製筒状体（明示はないが、電柱などと思われる。また、型枠に位置決めの凹所が設けられていると思われる。）に用いる場合には、都合がよいが、一般の家屋の基礎に用いる場合には、取付部が余分にコンクリート内に埋没して再利用できず、また、角頭部２４ａがあるので、鋼製型枠Ｆ側にも、それに対応した凹所が必要で、通常そのような凹部のない鋼製型枠Ｆのどこにでも取り付けられるというものではないという問題があった。
【先行技術文献】
【特許文献】
【００１０】
【特許文献１】特開２００６−１１２２２４号公報（図５、図６）
【特許文献２】特開平０６−１８５１２５号公報（図１）
【発明の概要】
【発明が解決しようとする課題】
【００１１】
本発明は、このような技術的課題を解決しようとするもので、コンクリート打設後に再利用できる部分をできるだけ多くし、かつ、その取り外しが簡単で、本基礎の鋼製型枠の任意の位置に位置決め設置することができる鉄筋保持インサートを提供することを目的とする。
【課題を解決するための手段】
【００１２】
本発明の鉄筋保持インサートは、筒孔を備えた筒状のインサート部と、該インサート部の軸方向一端にて前記筒孔の周囲に着脱可能に設置され、鋼製型枠側に突起のない取付部と、該筒穴の周囲にて該取付部に設置された磁石とを備え、該取付部の磁石にて前記鋼製型枠に着脱可能に取り付けられるので、コンクリート打設後は、インサート部だけをコンクリート内に残し、取付部と磁石とは簡単に取り外すことができるので、コンクリート打設後に再利用できる部分をできるだけ多くし、かつ、その取り外しが簡単で、本基礎の鋼製型枠の任意の位置に位置決め設置することができる。
【発明の効果】
【００１３】
上記、手段に記載した通りである。
【図面の簡単な説明】
【００１４】
【図１】本発明の鉄筋保持インサートの一例を示すもので、（ａ）は正面図、（ｂ）はその上面図、（ｃ）はその内部状態を示した正面図、（ｄ）は、その裏面図、（ｅ）はその一部破断の正面図、（ｆ）はその取付ボルト体の正面図、（ｇ）はその止めリングの正面図
【図２】（ａ）〜（ｃ）は、図１の鉄筋保持インサートの設置態様を示す概念図
【図３】（ａ）、（ｂ）は、図１の鉄筋保持インサートを用いて、追加のコンクリート部分を形成する態様を示す図
【図４】（ａ）は、本発明の鉄筋保持インサートの他例を示す要部破断の正面図、（ｂ）は（ａ）の裏面図、（ｃ）は本発明の鉄筋保持インサートの他例を示す要部破断の正面図
【図５】本発明の鉄筋保持インサートの他例を示すもので、（ａ）は、その正面図、（ｂ）は（ａ）の上面図
【図６】本発明の背景技術を示すもので、（ａ）、（ｂ）は、特許文献１に記載のものの図、（ｃ）は、特許文献２に記載のものの図
【符号の説明】
【００１５】
１〜１Ｃ        インサート部
１ａ      筒孔（雌ねじ溝）
１ｄ      雌ネジ筒孔
２〜２Ｂ        取付部
３，３Ａ        磁石
４        取付ボルト体
４ａ      止めリング溝
４ｂ      止めリング
５        先端ボルト体
１０〜１０Ｃ        鉄筋保持インサート
Ｃ        コンクリート
ＣＭ      主基礎
ＣＰ      追加コンクリート部分
Ｆ        鋼製型枠
【発明を実施するための形態】
【００１６】
＜実施態様１＞
以下、本発明の実施態様を添付図面を参照しながら、説明する。図１は、本発明の鉄筋保持インサートの一例を示すもので、（ａ）は正面図、（ｂ）はその上面図、（ｃ）はその内部状態を示した正面図、（ｄ）は、その裏面図、（ｅ）はその一部破断の正面図、（ｆ）はその取付ボルト体の正面図、（ｇ）はその止めリングの正面図である。
【００１７】
この鉄筋保持インサート１０は、主基礎を形成するための鋼製型枠Ｆのコンクリート側の任意の位置に磁石３で取り付けられて用いられ、コンクリート打設後は、インサート部１と先端ボルト体５とだけがコンクリートＣ内に残るものである。
【００１８】
鉄筋保持インサート１０は、筒孔１ａを備えた筒状のインサート部１と、該インサート部１の軸方向一端にて前記筒孔１ａの周囲に着脱可能に設置され、鋼製型枠側に突起のない取付部２と、該筒穴１ａの周囲にて該取付部２に設置された磁石３とを備え、該取付部２の磁石３にて鋼製型枠Ｆ（図２参照。）に着脱可能に取り付けられることを特徴とする。
【００１９】
インサート部１は、いわゆる市販の六角長ナットを用いており、その筒穴１ａは雌ねじ溝で構成されている。このような一般市販品を用いると、別個に製造するのに比べて、格別にその単価は安くなる。なお、インサート部は筒状で内側にも中空部分があり、そこに鉄筋が嵌合できるものであれば、十分であり、円筒であっても、角筒であってもよい。内周に雌ネジが必要な場合には、適宜、押すネジに対応する範囲で有効なネジ部分を有する部分を設ければよく、全内周に設ける必要はない。
【００２０】
取付部２は、鋼板から板金加工で、２段の円形の段部が形成され、その小さい円形の段部の中心には、後述する取付ボルト４用の孔が開いている。大きい段の内側に磁石３が接着剤等で固着されて、取付部２から離れないようになっている。取付部２の基礎側は、上記円形段部の最下部の半円と、この半円に対向する部分には角形の張り出し部分があり、その張り出し部分の両端近傍に釘孔２ａが設けられている。この釘孔２ａは、鉄筋保持インサート１０を木製型枠の場合へ釘で取付する場合に用いるものである。
【００２１】
磁石３は、永久磁石であるフェライト磁石が安価で大量に出回り、入手も加工も容易なので、本発明で用いるのに適している。しかしながら、フェライト磁石に限定されず、アルニコ磁石、ネオジム磁石、サマリウムコバルト磁石などの永久磁石を用いてもよい。ここでは、取付ボルト４を操作するために、孔が開いた環状となっている。
【００２２】
この鉄筋保持インサート１０ではインサート部１に取付部２を着脱可能に設置するのに取付ボルト４を用いている。この取付ボルト４は、止めリング溝４ａをその首下に設け、この止めリング溝４ａに取付部２の孔をはさんで止めリング４ｂを嵌めることで、取付部２の中心で、相対的な軸方向の移動は拘束されるが、取付部２に対して、取付ボルト４だけを回転させることができるようになっている。
【００２３】
取付ボルト４は、この例では、マイナス溝付きの丸頭ネジを用いているが、十字孔付きネジ、六角孔付きボルトであってもよい。六角頭付きボルトでもよいが、その場合、頭の回りに、回転レンチをはめ込むだけのスペースを設ける必要がある。
【００２４】
先端ボルト体５は、インサート部１のコンクリート打設側、つまり、取付部２とは反対側の筒孔１ａを打設から保護する役割と、後述するように、その頭部あるいは雄ネジ部分を用いて、本基礎の主筋、横筋等の鉄筋と結束線で結束して、本基礎との連結状態をより強固にすることもできるものである。
【００２５】
止めリング４ｂは、この例では、ＪＩＳ規格にあるＥ形止め輪（ＪＩＳ  Ｂ  ２８０５）が用いられているが、同様の働きをするＣ形止め輪（ＪＩＳ  Ｂ２８１４）、Ｃ形同心止め輪（ＪＩＳ  Ｂ２８０６）を用いてもよい。
【００２６】
図２（ａ）〜（ｃ）は、図１の鉄筋保持インサートの使用態様を示す概念図である。まず、図２（ａ）に示すように鋼製型枠の内側で鉄筋保持インサート１０の位置決めをして、先端ボルト体５を適当に伸ばし、本基礎の鉄筋ＴＫにその頭部が接触するようにして、この頭部と鉄筋ＴＫとを結束線Ｗで結束し、その後、コンクリートＣを打設する。
【００２７】
次に、図２（ｂ）に示すように鋼製型枠Ｆを取り去る。この際、磁石３は、取付部２に固着されているので、鋼製型枠Ｆ側に磁着して、取付部２から離脱するということがない。
【００２８】
更に、図２（ｃ）に示すように、取付ボルト４をマイナスドライバで反時計回りに回すと、取付ボルト４がインサート部１から抜け出すのに連れて、取付部２もコンクリートから離脱して、両者は同時にコンクリートＣから外れて、また、別のインサート部と組み合わせて、再利用することができる。
【００２９】
この際、磁石３と取付部２と、更に、取付ボルト３とは一体なので、それぞれが別になって、また、一体化する必要がなく、再利用にも便利である。なお、製造コストとしては、磁石３に比べ取付部２の方が高いので、再利用の効果も、磁石だけの場合に比べて、かなり大幅なものとなる。
【００３０】
図３（ａ）、（ｂ）は、図１の鉄筋保持インサートを用いて、追加のコンクリート部分を形成する態様を示す図である。まず、図３（ａ）に示すように、主基礎ＣＭに３箇所のインサート部１が埋め込まれている。このインサート部１に鉄筋ＴＫ（直接挿入する部分は、インサート部１の筒孔の雌ネジに対応した寸切ボルトであってもよい。）を挿入し、適切な鉄筋枠を形成する。
【００３１】
続いて、適切な型枠を設けて、コンクリート打設をし、固化させると、図３（ｂ）に示すように、例えば、エアコンの室外機の土台や、集中ボイラの土台となる追加のコンクリート部分ＣＰが形成される。この追加のコンクリート部分ＣＰは、鉄筋によっても、本基礎と連結されているので、頑丈である。
＜実施形態２＞
図４（ａ）は、本発明の鉄筋保持インサートの他例を示す要部破断の正面図、（ｂ）は（ａ）の裏面図、（ｃ）は本発明の鉄筋保持インサートの他例を示す要部破断の正面図である。これらにより、インサート部と取付部との着脱可能な結合の別の方法について説明する。
【００３２】
図４（ａ），（ｂ）の鉄筋保持インサート１０Ａは、インサート部１Ａの取付部側が、外周に雄ネジ１ｂが形成され、取付部２Ａには、これに対応した雌ネジの受け部２ｂが設けられ、取付ボルト体４が無い点で、図１の鉄筋保持インサート１０と異なっている。
【００３３】
また、取付ボルト体４が無いので、磁石３Ａも孔無しのものでよい。一方、取付部２Ａ全体の形状は円形となり、その最外周縁には、釘孔を兼ねた、取付部の回し孔２ｃが設けられ、この回し孔２ｃによって、取付部２Ａ全体を反時計回りに回すことで、磁石３Ａを備えた取付部２Ａを、コンクリートから外すことができ、再利用が可能となる。
【００３４】
図４（ｂ）の鉄筋保持インサート１０Ｂは、インサート部１Ｂの取付部側外周に適度の面取り１ｃがあり、一方、取付部２Ｂには、このインサート部１Ｂの最大径部分に対して、絞まり嵌め程度になる内径の嵌合孔２ｄが設けられている。
【００３５】
このような鋼製の鉄筋保持インサート１０Ｂは、取付部２Ｂとインサート部１Ｂとの着脱可能な結合は、面取り１ｃで導かれるインサート部１Ｂと、取付部２Ｂの嵌合孔２ｄとの締まり嵌合によって達成される。コンクリート打設後は、取付部２Ｂとコンクリートとの間にマイナスドライバなどの先を入れて、こぜることで、取付部３Ｂは磁石３Ａと共に、コンクリート部から外すことができ、再利用が可能となる。
＜実施形態３＞
図５は、本発明の鉄筋保持インサートの他例を示すもので、（ａ）は、その正面図、（ｂ）は（ａ）の上面図である。この鉄筋保持インサート１０Ｃのインサート部１Ｃが、先端側に筒孔がなく、基端側に底付きの雌ネジ筒孔１ｄが設けられ、外形は閉止された一端側へ徐々に細くなるように傾斜している点が、図１に記載の鉄筋保持インサート１０と異なっている。
【００３６】
このような鋼製の鉄筋保持インサート１０Ｃは、原則として、そのインサート部１Ｃの先端側で、主基礎の鉄筋と連結することなく、単に、鋼製型枠の適切な位置に磁力で設置されて、コンクリート打設と型枠の除去後は、その部分にインサート部１ＣだけコンクリートＣ内部に埋設されて、その筒孔１ａを開口した状態で残るものである。
【００３７】
このインサート部１Ｃは、筒孔１ａに六角ボルトなどをねじ込んで引っ張れば、インサート部１Ｃを取り出すことができるもので、そのような現場の要請にも応えることができるものである。もちろん、磁石と一体となった取付部２と組み合わせれば、鉄筋保持インサート１０Ｃの全体が再利用可能なものとなるものである。
尚、本発明の鉄筋保持インサートは、上記実施形態に限定されるものではなく、上記実施形態の組み合わせや、特許請求の範囲に記載の範囲で、自由に、材料や形状を選択して実施することができるものであり、それらも本発明に含まれるものである。
【産業上の利用可能性】
【００３８】
本発明の鉄筋保持インサートは、コンクリート打設後に再利用できる部分をできるだけ多くし、かつ、その取り外しが簡単で、本基礎の鋼製型枠の任意の位置に位置決め設置することが要請される建築等の産業分野に用いることができる。
【図１】
0005731268.tif 000002
【図２】
0005731268.tif 000003
【図３】
0005731268.tif 000004
【図４】
0005731268.tif 000005
【図５】
0005731268.tif 000006
【図６】
0005731268.tif 000007